(57)【要約】【課題】  １つの受信周波数で異なる２つの無線通信方式の呼び出し信号を待ち受ける無線通信方法と、それを用いたシステムおよびその無線端末を提供する。【解決手段】  レピータ方式による無線網のレピータ中継局とＦＤＭＡ方式による無線網のＦＤＭＡ中継局とが混在してなる業務用無線通信システムにおいて、レピータ方式による無線通信網のレピータ用無線端末からの呼び出し信号を受信したレピータ中継局が、その呼び出し信号をＦＤＭＡ中継局へ転送するために、レピータ中継局と前記ＦＤＭＡ中継局とが通信回線接続され、ＦＤＭＡ中継局が、転送された呼び出し信号を制御信号にセットし、ＦＤＭＡ方式による無線通信網のＦＤＭＡ用無線端末へ送信する手段と、ＦＤＭＡ無線端末が、この制御信号を受信して、レピータ中継局を介してレピータ無線端末と交信する手段を有する。【選択図】      図１
2005204116.tif 000002
【特許請求の範囲】
【請求項１】
レピータ方式による無線網のレピータ中継局とＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）方式による無線網のＦＤＭＡ中継局とが混在してなる業務用無線通信システムにおいて、
前記レピータ方式による無線通信網のレピータ用無線端末からの呼び出し信号を受信した前記レピータ中継局が、前記呼び出し信号を前記ＦＤＭＡ中継局へ転送するために、前記レピータ中継局と前記ＦＤＭＡ中継局とが通信回線接続され、
前記ＦＤＭＡ中継局が、転送された前記呼び出し信号を制御信号にセットし、前記ＦＤＭＡ方式による無線通信網のＦＤＭＡ用無線端末へ送信する手段を有し、
前記ＦＤＭＡ無線端末が、前記制御信号を受信して、前記レピータ中継局を介して前記レピータ無線端末と交信する手段を有してなることを特徴とする業務用無線通信システム。
【請求項２】
レピータ方式による無線網のレピータ中継局とＦＤＭＡ方式による無線網のＦＤＭＡ中継局とが混在してなる業務用無線通信システムにおいて使用されるＦＤＭＡ用無線端末であって、
前記ＦＤＭＡ中継局が、前記レピータ中継局から転送された前記レピータ方式による無線通信網のレピータ用無線端末からの呼び出し信号を制御信号にセットして、前記ＦＤＭＡ方式による無線通信網のＦＤＭＡ用無線端末へ送信した前記制御信号を受信して、前記レピータ中継局を介して前記レピータ無線端末と交信する手段を有することを特徴とするＦＤＭＡ用無線端末。
【請求項３】
レピータ方式による無線網のレピータ中継局とＦＤＭＡ方式による無線網のＦＤＭＡ中継局とが混在してなる業務用無線通信システムにおける通信方法であって、
前記レピータ方式による無線通信網のレピータ用無線端末からの呼び出し信号を受信した前記レピータ中継局が、前記呼び出し信号を前記ＦＤＭＡ中継局へ転送する過程と、  前記ＦＤＭＡ中継局が、転送された前記呼び出し信号を制御信号にセットし、前記ＦＤＭＡ方式による無線通信網のＦＤＭＡ用無線端末へ送信する過程と、
前記ＦＤＭＡ無線端末が、前記制御信号を受信して、前記レピータ中継局を介して前記レピータ無線端末と交信する過程とからなることを特徴とする業務用無線通信方法。
【発明の詳細な説明】
【技術分野】
【０００１】
本発明は、無線通信方式の異なる中継局からの呼び出し信号を待ち受ける無線通信方法と、それを用いたシステムおよびその無線端末に関する。
【背景技術】
【０００２】
業務用無線通信システムにおいて、既存システムから新システムへの置き換えを行う場合、無線端末や無線中継システムをすべて一括して置き換えることは、コスト的にも、システムの安定性を維持するためにも困難な場合が多い。このため、長い時間をかけて新システムへ移行する方法がとられている。しかしこの移行期間中、２つの異なるシステム上で動作する無線端末は、双方のシステムの信号を交互に受信して、自局への呼び出しを待ち受ける必要があった。このとき、常に中継局からの信号を待ち受ける必要があるシステムがある場合、無線端末が他方のシステムの信号を待ち受けている間に、そのシステムからの呼び出しがあると、これを受信できない問題があった。制御チャネル信号を利用して機能を拡大する方法として、特許文献１に制御チャネルを音声チャネルに変える方法が提案されている。
【特許文献１】第２７２４９１７号公報
【発明の開示】
【発明が解決しようとする課題】
【０００３】
本発明は、このような問題を解決するためになされたものであり、１つの受信周波数で異なる２つの無線通信方式の呼び出し信号を待ち受ける無線通信方法と、それを用いたシステムおよびその無線端末を提供することを目的とする。
【課題を解決するための手段】
【０００４】
本発明の業務用無線通信システムは、レピータ方式による無線網のレピータ中継局とＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）方式による無線網のＦＤＭＡ中継局とが混在してなる業務用無線通信システムにおいて、
前記レピータ方式による無線通信網のレピータ用無線端末からの呼び出し信号を受信した前記レピータ中継局が、前記呼び出し信号を前記ＦＤＭＡ中継局へ転送するために、前記レピータ中継局と前記ＦＤＭＡ中継局とが通信回線接続され、
前記ＦＤＭＡ中継局が、転送された前記呼び出し信号を制御信号にセットし、前記ＦＤＭＡ方式による無線通信網のＦＤＭＡ用無線端末へ送信する手段を有し、
前記ＦＤＭＡ無線端末が、前記制御信号を受信して、前記レピータ中継局を介して前記レピータ無線端末と交信する手段を有してなることを特徴とする。
【０００５】
前記ＦＤＭＡ用無線端末は、レピータ方式による無線網のレピータ中継局とＦＤＭＡ方式による無線網のＦＤＭＡ中継局とが混在してなる業務用無線通信システムにおいて使用されるＦＤＭＡ用無線端末であって、
前記ＦＤＭＡ中継局が、前記レピータ中継局から転送された前記レピータ方式による無線通信網のレピータ用無線端末からの呼び出し信号を制御信号にセットして、前記ＦＤＭＡ方式による無線通信網のＦＤＭＡ用無線端末へ送信した前記制御信号を受信して、前記レピータ中継局を介して前記レピータ無線端末と交信する手段を有することを特徴とする。
【０００６】
本発明の業務用無線通信方法は、レピータ方式による無線網のレピータ中継局とＦＤＭＡ方式による無線網のＦＤＭＡ中継局とが混在してなる業務用無線通信システムにおける通信方法であって、
前記レピータ方式による無線通信網のレピータ用無線端末からの呼び出し信号を受信した前記レピータ中継局が、前記呼び出し信号を前記ＦＤＭＡ中継局へ転送する過程と、
前記ＦＤＭＡ中継局が、転送された前記呼び出し信号を制御信号にセットし、前記ＦＤＭＡ方式による無線通信網のＦＤＭＡ用無線端末へ送信する過程と、
前記ＦＤＭＡ無線端末が、前記制御信号を受信して、前記レピータ中継局を介して前記レピータ無線端末と交信する過程とからなることを特徴とする。
【発明の効果】
【０００７】
本発明の業務用無線通信システムによれば、１つの受信周波数で異なる２つの無線通信方式の呼び出し信号を待ち受ける無線通信システムが実現できる。
【発明を実施するための最良の形態】
【０００８】
図１は、本発明による業務用無線通信システムの実施の形態を説明するブロック図である。業務用無線通信システムは、レピータ中継局１、ＦＤＭＡ中継局２、レピータ用無線端末３、ＦＤＭＡ用無線端末４および５から構成される。レピータ中継局１は、ＦＤＭＡ中継局２と通信回線６で接続されており、呼び出し信号をシリアル通信により転送する。レピータ用無線端末３は、アップリンク周波数ｆ１およびダウンリンク周波数ｆ２を用いて、レピータ中継局１を介してレピータ方式による無線網の他のレピータ用無線端末（図示せず）と交信する。さらにレピータ中継局１を介してＦＤＭＡ無線端末４および５とも交信できる。ＦＤＭＡ無線端末４および５は、アップリンク用制御チャネル周波数ｆ４とダウンリンク用制御チャネル周波数ｆ３とによりＦＤＭＡ中継局を介してＦＤＭＡ方式による無線網内で交信接続を行う。さらにＦＤＭＡ無線端末４および５は、アップリンク周波数ｆ１およびダウンリンク周波数ｆ２によりレピータ中継局１を介してレピータ用無線端末３と交信することができる。
【０００９】
レピータ用無線端末３が、ＦＤＭＡ用無線端末４と交信する場合を説明する。レピータ用無線端末３は、ＦＤＭＡ用無線端末４の呼び出し信号をアップリンク周波数ｆ１に乗せてレピータ中継局１へ送信する。リピータ中継局１はこの呼び出し信号を受信した後、この信号を通信回線６を経由してＦＤＭＡ中継局２へシリアル転送する。ＦＤＭＡ中継局２は、この呼び出し信号をダウンリンク用制御チャネル周波数ｆ３の制御信号にセットし、ＦＤＭＡ方式による無線網内へ送信する。待ち受け状態にあるＦＤＭＡ用無線端末４は、この呼び出し信号を受信する。さらにこの呼び出し信号の情報をもとに、あらかじめ無線端末内に設定された受信周波数情報からレピータ中継局１のダウンリンク周波数ｆ２を検出し、ダウンリンク用チャネル周波数ｆ３からダウンリンク周波数ｆ２に受信周波数を切換える。レピータ中継局１は、レピータ用無線端末３がアップリンク周波数で送信した信号を受信し、呼び出し信号をＦＤＭＡ中継局２へ転送すると共に、音声信号をダウンリンク周波数ｆ２に中継送信する。従って、受信周波数をｆ２に切換えたＦＤＭＡ用無線端末４は、レピータ用無線端末３の音声信号を受信し交信を開始する。
【００１０】
図２は、呼び出し信号と交信のフローを説明する遷移図である。レピータ用無線端末同士は、アップリンク周波数ｆ１とダウンリンク周波数ｆ２によりレピータ中継局を介して交信する。ＦＤＭＡ用無線端末同士は、アップリンク用制御チャネル周波数ｆ４とダウンリンク用制御チャネル周波数ｆ３によりＦＤＭＡ中継局を介して交信する。レピータ用無線端末とＦＤＭＡ用無線端末とは、レピータ用無線端末の呼び出し信号をレピータ中継局が受信し、これをＦＤＭＡ中継局へシリアル転送し、ＦＤＭＡ中継局が、ダウンリンク用制御チャネル周波数ｆ３に乗せてＦＤＭＡ用無線端末へ送信し、ＦＤＭＡ用無線端末がこれを受信して、受信周波数をｆ３からｆ２へ変更することで交信が開始される。ここで、ＦＤＭＡ用無線端末は、接続情報を周波数ｆ３から取得し、レピータ用無線端末との接続が確立すると、交信はレピータ方式による無線通信網で行われる。
【００１１】
図３は、無線端末および中継局が接続のために用いる呼び出し信号フォーマットを説明する図である。Ａは、レピータ用無線端末あるいはＦＤＭＡ用無線端末の呼び出し信号フォーマットであり、呼び出し種別子と端末識別子とからなる。Ｂは、レピータ中継局がＦＤＭＡ中継局へ転送する呼び出し信号フォーマットであり、同期信号パターン、呼び出し種別子、端末識別子、中継局識別子および中継局付加情報からなる。Ｃは、ＦＤＭＡ中継局がＦＤＭＡ方式による無線網内に送信する呼び出し信号フォーマットであり、同期信号パターン、システム情報および端末制御情報からなる。
【００１２】
ＦＤＭＡ用無線端末同士の交信は、ＦＤＭＡ用無線端末５が、個別呼び出しあるいは同報通知などの呼び出し種別子と、個別番号、同報番号などの識別子とを、アップリンク用制御チャネル周波数ｆ４に乗せてＦＤＭＡ中継局２へ送信する（Ａ）。ＦＤＭＡ中継局２はこの呼び出し信号を受信した後、この呼び出し信号をダウンリンク用制御チャネル周波数ｆ３の制御信号の端末制御情報にセットし、ＦＤＭＡ方式による無線網内へ送信する（Ｃ）。待ち受け状態にあるＦＤＭＡ用無線端末４は、この呼び出し信号を受信する。ＦＤＭＡ用無線端末５との交信は、ＦＤＭＡ方式の音声チャネルを通して開始される。
【００１３】
レピータ用無線端末３は、個別呼び出しあるいは同報通知などの呼び出し種別子と、個別番号、同報番号などの識別子とを、アップリンク周波数ｆ１に乗せてレピータ中継局１へ送信する（Ａ）。リピータ中継局１はこの呼び出し信号を受信した後、この信号に中継局の種類を示す識別子と、周波数等の中継局と交信するための情報とを付加し、通信回線６を経由してＦＤＭＡ中継局２へシリアル転送する（Ｂ）。ＦＤＭＡ中継局２は、この呼び出し信号をダウンリンク用制御チャネル周波数ｆ３の制御信号の端末制御情報にセットし、ＦＤＭＡ方式による無線網内へ送信する（Ｃ）。待ち受け状態にあるＦＤＭＡ用無線端末４は、この呼び出し信号を受信する。
【００１４】
図３の呼び出し信号パターンＣにおいて、同期信号パターン、システム情報および端末制御情報は、常に一定の繰返し周期で送信されている。ＦＤＭＡ中継局２は、レピータ用無線端末あるいはＦＤＭＡ用無線端末からの呼び出し信号を受け取ると、受け取り順に端末制御情報へセットし、ＦＤＭＡ方式による無線網内へ送信する。システム情報には、呼び出しがレピータ方式の無線通信網によるものかＦＤＭＡ方式の無線通信網によるものかにより通信方式に必要な情報をセットする。
【００１５】
図４は、ＦＤＭＡ用無線端末が、レピータ用無線端末と交信を行う流れを示すフローチャートである。ＦＤＭＡ用無線端末が、電源を入れて受信を開始する（ステップ１００）。ダウンリンク用制御チャネル周波数ｆ３で、呼び出しを待機する（ステップ１０２）。無線端末からの呼び出しがあれば次のステップへ進む（ステップ１０４）。呼び出しが、レピータ用無線端末からのものであれば、受信周波数をｆ３からｆ２へ変更する（ステップ１０６）。呼び出しがＦＤＭＡ用無線端末からのものであれば、ＦＤＭＡ方式の音声チャネルを通して交信を開始する（図示せず）。ダウンリンク周波数ｆ２によりレピータ用無線端末からのからメッセージを受信し通話交信を行う（ステップ１０８）。通話交信が終了する（ステップ１１０）。ＦＤＭＡ用無線端末は、再びダウンリンク用制御チャネル周波数ｆ３の受信周波数に戻り、呼び出し信号の待機へと入る（ステップ１１２）。
【００１６】
以上説明したとおり、レピータ方式による無線通信網からの呼び出しと、ＦＤＭＡ方式による無線通信網からの呼び出しの両方を、１つの受信周波数で待ち受けることができるため、呼び出しロスのない無線通信が可能となる。ＦＤＭＡ用無線端末の周波数切換えは、当該機能を実現する手段であれば、どのような回路であっても良く、また機能の一部または全部をソフトウエアで実現することも可能である。
【図面の簡単な説明】
【００１７】
【図１】本発明による業務用無線通信システムの実施の形態を説明するブロック図。
【図２】本発明の呼び出し信号と交信のフローを説明する遷移図。
【図３】本発明による呼び出し信号フォーマットを説明する図。
【図４】本発明による交信の流れを示すフローチャート。
【符号の説明】
【００１８】
１    レピータ中継局
２    ＦＤＭＡ中継局
３    レピータ用無線端末
４、５    ＦＤＭＡ用無線端末
６    通信回線
【図１】
2005204116.tif 000003
【図２】
2005204116.tif 000004
【図３】
2005204116.tif 000005
【図４】
2005204116.tif 000006